(57)【要約】【課題】現金自動預け入れ払い機を用いて通帳記入などの作業を行う場合、現金自動預け入れ払い機が自動的に通帳の所望の頁を検索する通帳頁自動検索システムを提供する。【解決手段】通帳と、前記通帳の各々の頁の端部に添付される複数の記憶媒体と、前記複数の記憶媒体の各々は、添付された前記通帳の各々の頁の頁番号を示す頁情報を記憶し、前記頁情報を読み取る情報読取部と、前記通帳の頁を検索する情報処理部とを含み、前記情報処理部は、前記端部に添付された記憶媒体の頁情報を用いて、前記通帳の頁を検索する。【選択図】        図３
2004355278.tif 000002
【特許請求の範囲】
【請求項１】
通帳と、
前記通帳の各々の頁の端部に添付される複数の記憶媒体と、前記複数の記憶媒体の各々は、添付された前記通帳の各々の頁の頁番号を示す頁情報を記憶し、
前記頁情報を読み取る情報読取部と、
前記通帳の頁を検索する情報処理部と、
を含み、
前記情報処理部は、前記端部に添付された記憶媒体の頁情報を用いて、前記通帳の頁を検索する
通帳頁自動検索システム。
【請求項２】
請求項１に記載の通帳頁自動検索システムにおいて、
さらに、前記通帳の各々の頁に、前記複数の記憶媒体を添付する記憶媒体添付部を含み、
前記情報読取部は、前記複数の記憶媒体が存在しなかった場合、前記記憶媒体添付部に記憶媒体添付要求を通知し、
前記記憶媒体添付部は前記記憶媒体添付要求に応答して、前記通帳の各々の頁に前記複数の記憶媒体の各々を添付する
通帳頁自動検索システム。
【請求項３】
請求項１または２に記載の通帳頁自動検索システムにおいて、
前記通帳は、複数の記入欄と、先頭頁記憶媒体とを含み、
前記先頭頁記憶媒体は、前記通帳の先頭頁に添付され、
前記先頭頁記憶媒体は、前記複数の記入欄の全てに印字が行われた頁の情報を、全欄印字完了頁情報として記憶し、
前記情報読取部は、前記全欄印字完了頁情報を読み取り、前記読み取った全欄印字完了頁情報を前記情報処理部に通知し、
前記情報処理部は、前記通知に基づいて、印字を行う頁を決定する
通帳頁自動検索システム。
【請求項４】
請求項３に記載の通帳頁自動検索システムにおいて、
前記情報読取部は、前記先頭頁記憶媒体が存在しなかった場合、先頭頁記憶媒体添付要求を出力し、
前記情報処理部は、前記出力に応答して、前記複数の記入欄の全てに印字が行われた頁を検索し、
前記検索の結果、前記複数の記入欄の全てに印字が行われた頁を検出した場合、前記記憶媒体添付部に先頭頁記憶媒体添付指示を出力し、
前記記憶媒体添付部は、前記先頭頁記憶媒体添付指示に応答して、前記先頭頁記憶媒体を前記通帳の先頭頁に添付する
通帳頁自動検索システム。
【請求項５】
請求項３または４に記載の通帳頁自動検索システムにおいて、
さらに、情報書込み部を含み、
前記情報書込み部は、新たに全欄印字完了頁が発生すると、前記先頭頁記憶媒体に記憶された前記全欄印字完了頁情報を更新する
通帳頁自動検索システム。
【請求項６】
通帳の各々の頁の端部に記憶媒体を添付するステップと、
前記通帳の各々の頁の頁番号を示す頁情報を記憶するステップと、
前記頁情報を読み取るステップと、
前記通帳の頁を検索するステップと、
前記端部に添付された記憶媒体の頁情報を用いて、前記通帳の頁を検索するステップと、
を具備する方法をコンピュータで実行可能なプログラム。
【請求項７】
請求項６に記載のコンピュータで実行可能なプログラムにおいて、
さらに、記憶媒体添付要求を通知するステップと、
前記記憶媒体添付要求に応答して、前記通帳の各々の頁に前記複数の記憶媒体の各々を添付するステップと、
を具備する方法をコンピュータで実行可能なプログラム。
【請求項８】
請求項６または７に記載のコンピュータで実行可能なプログラムにおいて、
前記通帳の先頭頁に先頭頁記憶媒体を添付するステップと、
前記先頭頁記憶媒体が、前記複数の記入欄の全てに印字が行われた頁の情報を、全欄印字完了頁情報として記憶するステップと、
前記全欄印字完了頁情報を読み取るステップと、
前記読み取った全欄印字完了頁情報を通知するステップと、
前記通知に基づいて、印字を行う頁を決定するステップと、
を具備する方法をコンピュータで実行可能なプログラム。
【請求項９】
請求項８に記載のコンピュータで実行可能なプログラムにおいて、
前記先頭頁記憶媒体が存在しなかった場合、先頭頁記憶媒体添付要求を出力するステップと、
前記出力に応答して、前記複数の記入欄の全てに印字が行われた頁を検索するステップと、
前記検索の結果、前記複数の記入欄の全てに印字が行われた頁を検出した場合、先頭頁記憶媒体添付指示を出力するステップと、
前記先頭頁記憶媒体添付指示に応答して、前記先頭頁記憶媒体を前記通帳の先頭頁に添付するステップと、
を具備する方法をコンピュータで実行可能なプログラム。
【請求項１０】
請求項８または９に記載のコンピュータで実行可能なプログラムにおいて、
新たに全欄印字完了頁が発生すると、前記先頭頁記憶媒体に記憶された前記全欄印字完了頁情報を更新するステップと、
を具備する方法をコンピュータで実行可能なプログラム。
【発明の詳細な説明】
【０００１】
【発明の属する技術分野】
本発明は、金融機関分野での現金自動預け入れ払い機での通帳記入に関する。
【０００２】
【従来の技術】
従来の現金自動預け入れ払い機の記帳では、通帳読取方式として、イメージセンサを用いた技術が知られている（例えば、特許文献１参照。）。このイメージセンサを用いた従来の通帳読取方式は頁マークや印字済みの行の正確な認識に優れている。
【０００３】
このイメージセンサを用いた従来の通帳読取方式では、現金自動預け入れ払い機自体が印字すべき頁を検索するという機能はなく、利用者が該当する頁を開いて現金自動預け入れ払い機に挿入する必要があった。利用者が誤った頁を開いて通帳を挿入してしまった場合には、エラーとなってしまい、通帳記入の処理はそこで停止してしまっていた。正しい記帳を行うためには、利用者が改めて該当する頁を自分自身で検索して、現金自動預け入れ払い機に挿入しなければならなかった。
【０００４】
このように、利用者が自ら該当する頁を開いて現金自動預け入れ払い機に挿入するという方法では、その利用者が誤った頁を開いて挿入したときには、エラーとなって通帳が戻ってきていた。その通帳の正しい頁に記帳をする場合には、利用者自身が現金自動預け入れ払い機の前で該当の頁を探すという作業の必要が発生し、安全性の面で不安が存在し、かつ、利用者に負担がかかってしまっていた。
【０００５】
安全性が高く、利用者の利便性の高い通帳頁自動検索システムが望まれる。
【０００６】
【特許文献１】
特開２００１−１４３１２５号公報
【０００７】
【発明が解決しようとする課題】
本発明が解決しようとする課題は、現金自動預け入れ払い機を用いて通帳記入などの作業を行う場合、現金自動預け入れ払い機が自動的に通帳の所望の頁を検索する通帳頁自動検索システムを提供することにある。
【０００８】
さらに、通帳の小口（通帳記帳面を基準にした側面部分）に頁情報を記憶した記憶媒体を添付することで、現金自動預け入れ払い機は、その記憶媒体の情報を頼りに頁を検索することができるため、該当頁を開く為にかかる時間を短縮する通帳頁自動検索システムを提供することにある
【０００９】
さらに、印字可能欄が全て印字済みになってしまった頁の情報を先頭頁に添付する先頭頁記憶媒体に記憶させることで、該当頁の検索時間を短縮する通帳頁自動検索システムを提供することにある。
【００１０】
さらに、通帳の小口に添付された記憶媒体と、その通帳の先頭頁に添付された先頭頁記憶媒体とを用いて通帳の該当頁を検索し、通帳記入を行うので、誤記入の防止する通帳頁自動検索システムを提供することにある。
【００１１】
さらに、現金自動預け入れ払い機に、その記憶媒体と先頭頁記憶媒体とが添付されていない通帳が挿入された場合に、その通帳の小口に自動的に記憶媒体を添付し、さらに先頭頁記憶媒体を添付することで、新規に通帳を作成することなくこの通帳頁自動検索システムの利用を開始でき、不要な資源の浪費の削減に効果がある通帳頁自動検索システムを提供することにある。
【００１２】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【００１３】
通帳頁自動検索システムにおいて、通帳（２１）と、前記通帳（２１）の各々の頁の端部に添付される複数の記憶媒体（２１ａｎ）と、前記複数の記憶媒体（２１ａｎ）の各々は、添付された前記通帳（２１）の各々の頁の頁番号を示す頁情報を記憶し、前記頁情報を読み取る情報読取部（１）と、前記通帳（２１）の頁を検索する情報処理部（４）とを含み、前記情報処理部（４）は、前記端部に添付された記憶媒体（２１ａｎ）の頁情報を用いて、前記通帳（２１）の頁を検索する。
【００１４】
さらに、前記通帳（２１）の各々の頁に、前記複数の記憶媒体（２１ａｎ）を添付する記憶媒体添付部（３）を含み、前記情報読取部（１）は、前記複数の記憶媒体（２１ａｎ）が存在しなかった場合、前記記憶媒体添付部（３）に記憶媒体添付要求を通知し、前記記憶媒体添付部（３）は前記記憶媒体添付要求に応答して、前記通帳（２１）の各々の頁に前記複数の記憶媒体（２１ａｎ）の各々を添付する。
【００１５】
前記通帳（２１）は、複数の記入欄と、先頭頁記憶媒体（２１ｂｎ）とを含み、前記先頭頁記憶媒体（２１ｂｎ）は、前記通帳（２１）の先頭頁に添付され、前記先頭頁記憶媒体（２１ｂｎ）は、前記複数の記入欄の全てに印字が行われた頁の情報を、全欄印字完了頁情報として記憶し、前記情報読取部（１）は、前記全欄印字完了頁情報を読み取り、前記読み取った全欄印字完了頁情報を前記情報処理部（４）に通知し、前記情報処理部（４）は、前記通知に基づいて、印字を行う頁を決定する。
【００１６】
前記情報読取部（１）は、前記先頭頁記憶媒体（２１ｂｎ）が存在しなかった場合、先頭頁記憶媒体添付要求を出力し、前記情報処理部（４）は、前記出力に応答して、前記複数の記入欄の全てに印字が行われた頁を検索し、前記検索の結果、前記複数の記入欄の全てに印字が行われた頁を検出した場合、前記記憶媒体添付部（３）に先頭頁記憶媒体添付指示を出力し、前記記憶媒体添付部（３）は、前記先頭頁記憶媒体添付指示に応答して、前記先頭頁記憶媒体（２１ｂｎ）を前記通帳（２１）の先頭頁に添付する。
【００１７】
さらに、情報書込み部（２）を含み、前記情報書込み部（２）は、新たに全欄印字完了頁が発生すると、前記先頭頁記憶媒体（２１ｂｎ）に記憶された前記全欄印字完了頁情報を更新する。
【００１８】
情報読取部（１）と、情報書き込み部（２）と、記憶媒体添付部（３）と、情報処理部（４）と、印字情報読取部（５）と、印字部（６）とを内蔵する現金自動預け入れ払い機を用いる。
【００１９】
情報読取部（１）は磁気情報の読み取りを行い、情報書込み部（２）は磁気情報の書込みを行い、記憶媒体添付部（３）は磁気を用いて情報を記憶する記憶媒体を添付し、情報処理部（４）はＣＰＵ（中央演算処理装置）とメモリ（記憶装置）を用いた演算処理を行い、印字情報読取部（５）は光学的に通帳に記入された印字情報をよみとり、印字部（６）は熱転写などの方法を用いて、印刷を行う。
【００２０】
通帳（２１）の各々の頁の端部に記憶媒体（２１ａｎ）を添付するステップと、前記通帳（２１）の各々の頁の頁番号を示す頁情報を記憶するステップと、前記頁情報を読み取るステップと、前記通帳（２１）の頁を検索するステップと、前記端部に添付された記憶媒体の頁情報を用いて、前記通帳（２１）の頁を検索するステップと、を具備する方法をコンピュータプログラムを用いて実行する。
【００２１】
さらに、記憶媒体添付要求を通知するステップと、前記記憶媒体添付要求に応答して、前記通帳（２１）の各々の頁に前記複数の記憶媒体（２１ａ）の各々を添付するステップと、を具備する方法をコンピュータプログラムを用いて実行する。
【００２２】
前記通帳（２１）の先頭頁に先頭頁記憶媒体（２１ｂｎ）を添付するステップと、前記先頭頁記憶媒体（２１ｂｎ）が、前記複数の記入欄の全てに印字が行われた頁の情報を、全欄印字完了頁情報として記憶するステップと、前記全欄印字完了頁情報を読み取るステップと、前記読み取った全欄印字完了頁情報を通知するステップと、前記通知に基づいて、印字を行う頁を決定するステップと、具備する方法をコンピュータプログラムを用いて実行する。
【００２３】
前記先頭頁記憶媒体（２１ｂｎ）が存在しなかった場合、先頭頁記憶媒体（２１ｂｎ）添付要求を出力するステップと、前記出力に応答して、前記複数の記入欄の全てに印字が行われた頁を検索するステップと、前記検索の結果、前記複数の記入欄の全てに印字が行われた頁を検出した場合、先頭頁記憶媒体添付指示を出力するステップと、
前記先頭頁記憶媒体添付指示に応答して、前記先頭頁記憶媒体（２１ｂｎ）を前記通帳（２１）の先頭頁に添付するステップと、を具備する方法をコンピュータプログラムを用いて実行する。
【００２４】
新たに全欄印字完了頁が発生すると、前記先頭頁記憶媒体（２１ｂｎ）に記憶された前記全欄印字完了頁情報を更新するステップと、を具備する方法をコンピュータプログラムを用いて実行する。
【００２５】
【発明の実施の形態】
以下に、図面を用いて本発明の実施の形態を述べる。
【００２６】
（実施の構成）
図１は、本発明の実施の形態における通帳頁自動検索システムに用いられる、記憶媒体２１ａｎ（ｎは１以上の自然数。）と、先頭頁記憶媒体２１ｂｎ（ｎは１以上の自然数。）を添付した通帳２１の全体図である。図２には仮に通帳２１の頁数が４頁の場合を示すが、通帳２１の小口に添付される磁気記憶媒体は、当然通帳の頁数と同数またはそれ以上の数の記憶媒体２１ａｎが添付される。
【００２７】
図１を参照すると、本実施の形態で用いられる通帳は、通常印字を行う面を基準にした側面部分に磁気記憶媒体２１ａ１〜２１ａ４が添付される。磁気記憶媒体２１ａ１〜２１ａ４は、通帳の各々の頁に一つずつ添付される。図１を例にとって述べると、磁気記憶媒体２１ａ１は通帳２１の第１頁に添付され、その頁が第１頁である頁情報を記憶する。同様に磁気記憶媒体２１ａ２は通帳２１の第２頁に、磁気記憶媒体２１ａ３は通帳２１の第３頁に添付され、各々の記憶媒体は、その添付された頁の頁番号を頁情報として記憶する。
【００２８】
図２は、本発明の実施の形態における通帳頁自動検索システムに用いられる、先頭頁記憶媒体２１ｂｎを添付した通帳２１の先頭頁３１をあらわす図である。図２を参照すると、本実施の形態に述べる通帳の先頭頁には、全欄印字完了頁情報を示す先頭頁記憶媒体２１ｂｎ（ｎは１以上の自然数。）が添付される。図２を例にとると、図２は、通帳２１の第４頁までの印字欄は全て印字が完了していることを表し、第５頁には、印字可能な記入欄が残っているのことを表す。
【００２９】
仮にここで第５頁の全ての記入欄に印字が完了した場合、第５頁の全欄印字完了頁情報を示す先頭頁記憶媒体２１ｂ５（図示せず。）が添付される。
【００３０】
図３は、本発明の実施の形態における、通帳頁自動検索システムに用いられる現金自動預け入れ払い機の構成を示すブロック図である。ここから述べる実施の形態に用いられる記憶媒体には、磁気を用いて情報を読み書きする形式のものを使用した例を述べるが、これは本発明の記憶媒体を限定するものではない。
【００３１】
図３を参照すると、本実施の形態における現金自動預け入れ払い機は、通帳２１に添付された記憶媒体２１ａｎ（ｎは１以上の自然数。）に記憶された頁情報を読み取る磁気情報読取部１と、その記憶媒体２１ａｎに頁情報を書き込む磁気情報書込み部２と、頁情報を書込むべき記憶媒体２１ａｎが添付されていない通帳２１に、新たな記憶媒体２１ａｎを添付する磁気記憶媒体添付部３と、記憶媒体２１ａｎに記憶された情報の基づいて、記帳を行うための演算処理を行う情報処理部４と、前回印字された情報を読み取る印字情報読取部５と、今回通帳２１に印字処理を行う印字部６と、で構成される。
【００３２】
磁気情報読取部１は、その通帳２１の小口（通帳記帳面を基準にした側面部分）に添付された記憶媒体２１ａｎに記憶された頁情報と、その通帳２１の先頭頁３１に添付された先頭頁記憶媒体２１ｂｎ（ｎは１以上の自然数。）に記憶された全欄印字完了頁情報とを読み取り、読み取った頁情報と、全欄印字完了頁情報を情報処理部４に通知する。さらに磁気情報読取部１は、読み取るべき記憶媒体２１ａｎ（または、２１ｂｎ）がその通帳２１に添付されていない場合、記憶媒体添付要求を情報処理部４に通知する。
【００３３】
磁気情報書込み部２は、その記憶媒体２１ａｎが添付されている頁の頁番号を磁気情報に変換し、その磁気情報を頁情報として、その通帳２１の小口に添付された記憶媒体２１ａｎに書込む。さらに、その通帳２１の先頭頁３１に添付された先頭頁記憶媒体２１ｂｎに、その通帳の記入可能な欄の全てに印字がされている全欄印字完了頁を識別するために、その全欄印字完了頁の情報を磁気情報に変換し、その磁気情報を全欄印字完了頁情報として書込む。また、磁気情報書込み部２は、各々の記憶媒体書込みが終わった場合に、書込み完了情報を情報処理部４に通知する。
【００３４】
磁気記憶媒体添付部３は、情報処理部４からの記憶媒体添付指示に応答して、その指示に対応する通帳２１の各々の頁の小口に、頁情報を書込むための記憶媒体２１ａｎを添付する。また、情報処理部４からの先頭頁記憶媒体添付指示に応答して、その指示に対応する通帳２１の先頭頁３１に全欄印字完了頁情報を書込むための先頭頁記憶媒体２１ｂｎを添付する。
【００３５】
情報処理部４は、磁気情報読取部１からの通知、磁気情報書込み部２からの通知を受け取り、その通知に含まれるさまざまな情報に基づいて、情報処理を行う。
【００３６】
印字情報読取部５は、その通帳２１の先頭頁３１に全欄印字完了頁情報を記載するための先頭頁記憶媒体２１ｂｎが添付されていない場合に、全欄印字完了頁を検索するため、通帳の頁に記載された印字情報の読取を行い、印字情報の読み取りに基づいて、全欄印字完了頁を検索し、検索された全欄印字完了頁を情報処理部４に出力する。
【００３７】
印字部６は、情報処理部４が印字を決定し、その決定に基づいて開かれたその通帳２１の印字対象頁に、実際に印字をする。
【００３８】
（実施の動作）
次に、図面を用いて本発明の通帳頁自動検索システムにおける詳細な動作を述べる。
【００３９】
図４は、本発明の実施の形態における、利用者が通帳２１を現金自動預け入れ払い機に挿入したときの、通帳頁自動検索システムの動作のを示すフローチャートである。図４を参照すると、本実施の形態は、ステップＳ１０１において、利用者が現金自動預け入れ払い機に自分の通帳２１を挿入すると開始する。
【００４０】
ステップＳ１０３において、通帳２１を挿入された現金自動預け入れ払い機に内蔵された磁気情報読取部１は、その通帳２１の小口（通帳記帳面を基準にした側面部分）に記憶媒体２１ａｎが添付されているかどうかを検索し、検索された記憶媒体２１ａｎから磁気情報の読み取りを開始し、ステップＳ１０５へ進む。
【００４１】
ステップＳ１０５において、磁気情報読取部１は、記憶媒体２１ａｎに記憶された頁情報を読み取り、その読み取った頁情報を情報処理部４に通知し、ステップＳ１０９へ進む。
【００４２】
ステップＳ１０３において、磁気情報読取部１の検索により、記憶媒体２１ａｎが検出されなかった場合は、ステップＳ１０７へ進む。ステップＳ１０７において、磁気情報読取部１は、情報処理部４に記憶媒体添付要求を通知し、情報処理部４はその記憶媒体添付要求に応答して、磁気記憶媒体添付部３に記憶媒体２１ａｎの添付を指示し、磁気記憶媒体添付部３は、その指示に基づいて対応する通帳２１の各々の頁の小口に記憶媒体２１ａｎを添付する。
【００４３】
ステップＳ１０７において添付された記憶媒体２１ａｎは、さらに磁気情報書込み部２によりその通帳２１の各々の頁番号を磁気情報にした頁情報を書込まれ、ステップＳ１０５へ進む。ステップＳ１０５において、磁気情報読取部１は、予め通帳２１に添付されていた記憶媒体２１ａｎまたはステップＳ１０７において添付された記憶媒体２１ａｎに記憶された頁情報を読み取る。磁気情報読取部１は、その読み取った頁情報を情報処理部４に通知し、ステップＳ１０９へ進む。
【００４４】
ステップＳ１０９において、磁気情報読取部１は、通帳２１の先頭頁３１に先頭頁記憶媒体２１ｂｎが添付されているかどうか検索を行い、検索の結果、先頭頁３１にその先頭頁記憶媒体２１ｂｎが添付されていた場合、ステップＳ１１１へ進む。ステップＳ１１１において、その添付された先頭頁記憶媒体２１ｂｎに全欄印字完了頁情報が記憶されているかどうかの監視を行い、記憶されていた場合、その全欄印字完了頁情報の読み取りを行い、読み取った全欄印字完了頁情報を情報処理部４に通知し、ステップＳ１１９へ進む。
【００４５】
ステップＳ１０９において、磁気情報読取部１は、通帳２１の先頭頁３１に先頭頁記憶媒体２１ｂｎが添付されているかどうか検索を行い、検索の結果、先頭頁３１に先頭頁記憶媒体２１ｂｎが添付されていなかった場合、情報処理部４に先頭頁記憶媒体添付要求を通知し、ステップＳ１１３へ進む。
【００４６】
ステップＳ１１３の検索の結果、全欄印字完了頁が検出されなかった場合、ステップＳ１２３へ進む。
【００４７】
ステップＳ１１３において、先頭頁記憶媒体添付要求を通知された情報処理部４は、まず印字情報読取部５に、その通帳２１に全欄印字完了頁が存在するかどうか検索することを指示し、印字情報読取部５はその指示に基づいて全欄印字完了頁の検索を行い、検索結果を情報処理部４に通知する。
【００４８】
ステップＳ１１３の検索の結果、全欄印字完了頁が検出され場合、情報処理部４は、印字情報読取部５からの通知に応答して、磁気記憶媒体添付部３に先頭頁記憶媒体２１ｂｎの添付を指示をし、ステップＳ１１５へ進む。ステップＳ１１５において、磁気記憶媒体添付部３は、情報処理部４からの先頭頁記憶媒体添付支持に基づいて、通帳２１の先頭頁３１に先頭頁記憶媒体２１ｂｎを添付する。
【００４９】
ステップＳ１１５において添付された先頭頁記憶媒体２１ｂｎは、ステップＳ１１７において、ステップＳ１１３で印字情報読取部５によって検出された全欄印字完了頁の情報を磁気情報にして磁気情報書込み部２によって、全欄印字完了頁情報として記憶され、さらに磁気情報書込み部２は、記憶した全欄印字完了頁情報を情報処理部４へ通知し、その後処理はステップＳ１１９へ進む。
【００５０】
ステップＳ１１９において、情報処理部４はステップＳ１１１で磁気情報読取部１から通知された全欄印字完了頁情報、または、ステップ１１７で磁気情報書込み部２から通知された全欄印字完了頁情報と、通帳２１の小口（通帳記帳面を基準にした側面部分）に添付された記憶媒体２１ａｎの頁情報に基づいて、実際の通帳２１の全欄印字完了頁を検索し、ステップＳ１２１へ進み、ステップＳ１２１において、現金自動預け入れ払い機は、実際に印字を行うページを決定し、印字部６はそのページに印字を行う。
【００５１】
ステップＳ１２３において、印字情報読取部５は印字作業が完了した頁に、印字可能な記入欄が残っているかどうかの検索を行い、印字可能な記入欄が残っている場合は処理を終了する。印字可能な記入欄が残ってい無かった場合、つまり新たな全欄印字完了頁が発生した場合、印字情報読取部５は新たな全欄印字完了頁が発生したことを情報処理部４に通知し、ステップＳ１２５へ進む。
【００５２】
ステップＳ１２５において、情報処理部４はステップ１２３で印字情報読取部５からの通知に応答して、磁気情報書込み部２に先頭頁記憶媒体２１ｂｎの全欄印字完了頁情報の更新を指示し、磁気情報書込み部２は情報処理部４からの全欄印字完了頁情報の更新指示に基づいて全欄印字完了頁情報を更新し、更新終了後、処理を終了する。
【００５３】
【発明の効果】
本発明の効果は、現金自動預け入れ払い機を用いて通帳記入などの作業を行う場合、現金自動預け入れ払い機が自動的に通帳の所望の頁を検索する効果がある。
【００５４】
さらに、通帳の小口（通帳記帳面を基準にした側面部分）に頁情報を記憶した記憶媒体を添付することで、現金自動預け入れ払い機は、その記憶媒体の情報を頼りに頁を検索することができるため、該当頁を開く為にかかる時間を短縮することができる効果がある。
【００５５】
さらに、印字可能欄が全て印字済みになってしまった頁の情報を先頭頁に添付する先頭頁記憶媒体に記憶させることで、該当頁の検索時間を短縮できる効果がある。
【００５６】
さらに、通帳の小口に添付された記憶媒体と、その通帳の先頭頁に添付された先頭頁記憶媒体とを用いて通帳の該当頁を検索し、通帳記入を行うので、誤記入の防止に効果がある。
【００５７】
さらに、現金自動預け入れ払い機に、その記憶媒体と先頭頁記憶媒体とが添付されていない通帳が挿入された場合に、その通帳の小口に自動的に記憶媒体を添付し、さらに先頭頁記憶媒体を添付することで、新規に通帳を作成することなくこの通帳頁自動検索システムの利用を開始でき、不要な資源の浪費の削減に効果がある。
【図面の簡単な説明】
【図１】図１は、記憶媒体と、先頭頁記憶媒体添付した通帳の全体図である。
【図２】図２は、先頭頁記憶媒体を添付した通帳の先頭頁をあらわす図である。
【図３】図３は、本発明の実施の形態における、通帳頁自動検索システムの構成を示すブロック図である。
【図４】図４は、本発明の実施の形態における、通帳頁自動検索システムの動作のを示すフローチャートである。
【符号の説明】
１          磁気情報読取部
２          磁気情報書込み部
３          磁気記憶媒体添付部
４          情報処理部
５          印字情報読取部
６          印字部
２１        通帳
２１ａｎ    記憶媒体
２１ｂｎ    先頭頁記憶媒体
３１        先頭頁
【図１】
2004355278.tif 000003
【図２】
2004355278.tif 000004
【図３】
2004355278.tif 000005
【図４】
2004355278.tif 000006